(57)【要約】【課題】記録済みの番組がデジタルビデオレコーダによる自動録画であった場合、必ずしもユーザの嗜好にあっていないものが録画され、また、単純にユーザの録画操作ミスにより録画された場合でも、ユーザは録画済みの番組内のＣＭ部分を視聴しなければならない事になる。従って、全ての録画済みの番組に前記手法を適用するのは非常に難しいという問題があった。【解決手段】放送コンテンツに含まれるＣＭ部を抽出する手段と、前記放送コンテンツを記録する手段とを備え、前記放送コンテンツを記録する際には、前記ＣＭと映像データを同一放送コンテンツであるということをＩＤまたはフラグにて関連付けて記録する手段を備え、前記記録された映像データ部及びＣＭ部を、視聴者が視聴した履歴を取得及び保存することを特徴とする。【選択図】図１
2007318342.tif 000002
【特許請求の範囲】
【請求項１】
映像データ部及びＣＭ部から成る放送コンテンツを記録及び再生する手段を備えた録画再生装置において、
前記放送コンテンツに含まれるＣＭ部を抽出し記録する手段と、前記放送コンテンツに含まれる映像データ部を抽出し記録する手段とを具備し、前記記録された映像データ部及びＣＭ部を、視聴者がそれぞれ視聴した履歴を取得及び保存することを特徴とする録画再生装置。
【請求項２】
映像データ部及びＣＭ部から成る放送コンテンツを記録及び再生する手段を備えた録画再生装置において、
前記放送コンテンツに含まれるＣＭ部を抽出し記録する手段と、前記放送コンテンツに含まれる映像データ部を抽出し記録する手段と、前記ＣＭ部と映像データ部が同一放送コンテンツであるということをＩＤまたはフラグにて関連付けて記録する管理テーブルとを具備し、前記記録された映像データ部及びＣＭ部を、視聴者がそれぞれ視聴した履歴を取得し、前記管理テーブルに保存することを特徴とする録画再生装置。
【請求項３】
請求項１または請求項２に記載の録画再生装置において、前記保存された映像データ部の視聴履歴及びＣＭ部の視聴履歴を参照することで、前記記録された放送コンテンツを消去することを特徴とする録画再生装置。
【請求項４】
請求項１または請求項２に記載の録画再生装置において、前記保存された映像データ部の視聴履歴及びＣＭ部の視聴履歴を参照することで、前記記録されたＣＭ部を消去することを特徴とする録画再生装置。
【発明の詳細な説明】
【技術分野】
【０００１】
本発明はハードディスクなど蓄積型メディアを備えた録画再生装置に関する。
【背景技術】
【０００２】
近年、デジタル信号処理技術の進展及び記録メディアの大容量化に伴い、家庭用デジタルビデオレコーダの性能が向上しその普及には目覚ましいものがある。また、多チャンネル化により視聴者は各種の放送番組を自動または任意にて、手軽にデジタル録画装置に蓄積することが可能となった。特に自動で放送番組を録画するデジタルビデオレコーダに関しては、各社より様々な製品が発表されている。例えば、いくつかのキーワードを登録しておくことで、キーワードと合致した番組情報のものを自動録画したり、ユーザの今までの録画視聴状況を解析して、ユーザの視聴状況に類似した番組を自動録画したりするものもある。
【０００３】
しかし、ユーザの利便性は向上したのだが、所謂「ＣＭ（Commercial）ＳＫＩＰ」によりユーザがＣＭを視聴する機会が失われ、放送業界における広告の宣伝効果が危ぶまれている。また、この問題は、現在の記録装置のデジタル化以前にも、放送データの多重音声部を検知してＣＭ部の録画を行わず、結果としてＣＭを視聴しない方法が存在し、かつ製品に搭載されていて問題視されていた。そこで近年、ＣＭ内容をよりユーザの好みに近づけたり、ユーザにＣＭの視聴を促すためのいくつかの手法が提示されている。
【０００４】
例えば、特許文献１に開示されているように、映像データのＣＭ部の位置を把握しておき、前述の映像データを消去する際には、ＣＭ部分が正しく再生されたかどうかを判断し、正しく再生されていない場合には、記録済みの映像データ、またはＣＭ部分を消去しないことで、ＣＭ部分の視聴を確実なものとしようとする手法も存在している。
【特許文献１】特開２００１−２６６４８２号公報
【発明の開示】
【発明が解決しようとする課題】
【０００５】
しかしながら、上記の手法にてＣＭ部分の視聴をユーザに強いる場合、以下の問題が生じる可能性がある。即ち、記録済みの番組がデジタルビデオレコーダによる自動録画であった場合、必ずしもユーザの嗜好にあっていないものが録画され、また、単純にユーザの録画操作ミスにより録画された場合でも、ユーザは録画済みの番組内のＣＭ部分を視聴しなければならない事になる。従って、全ての録画済みの番組に前記手法を適用するのは非常に難しいという問題があった。
【課題を解決するための手段】
【０００６】
本発明では、上記問題点を解決するために、以下の手段にて構成される録画再生装置を用いる。
【０００７】
本発明の第一の録画再生装置は、放送コンテンツに含まれるＣＭを抽出する手段と、前記放送コンテンツを記録する手段とを備え、前記放送コンテンツを記録する際には、前記ＣＭと映像データを同一放送コンテンツであるということをＩＤまたはフラグにて関連付けて記録する手段を備え、前記記録された映像データ部及びＣＭ部を、視聴者が視聴した履歴を取得及び保存することを特徴とする録画再生装置である。
【０００８】
本発明の第二の録画再生装置は、第一の録画再生装置において、前記保存された映像データ部及びＣＭ部の視聴履歴を参照することで、前記蓄積された放送コンテンツを消去することを特徴とする録画再生装置である。
【０００９】
本発明の第三の録画再生装置は、第一の録画再生装置において、前記保存された映像データ部及びＣＭ部の視聴履歴を参照することで、前記蓄積されたＣＭ部分を消去することを特徴とする録画再生装置である。
【発明の効果】
【００１０】
本発明の録画再生装置を使用することで、ユーザのＣＭ部の視聴が確実なものとなり、広告の価値が増加する。なお、広告の価値に比例して広告主からの資金提供が増加すれば、より高品質な番組作成も可能となる。
【発明を実施するための最良の形態】
【００１１】
以下、図面を用いて、本発明の実施の形態について説明する。
【実施例１】
【００１２】
図１は、本発明の実施例１の記録メディアを備えた記録再生装置である。１００はチューナ、１０１はビデオデコーダ、１０２はＭＰＥＧ（Moving Picture Expert Group）エンコーダ、１０３は記録メディア、１０４はＭＰＥＧデコーダ、１０５はビデオエンコーダ、１０６は外部出力部、１０７は１０３の一部、または別個の小さな読み書き可能な記憶領域部であり、ＣＭ部と映像データ部との関連及び視聴履歴を保存する記録メディアである。
【００１３】
チューナ１００より入力された放送コンテンツは、ビデオデコーダ１０１において、ＩＴＵ（International Telecommunication Union）による勧告である、よく知られたＩＴＵ−Ｒ  ＢＴ．６５６若しくはＩＴＵ−Ｒ  ＢＴ．７０９にて規定された信号などに変換される。この時、音声部より多重音声であること、若しくはブランキング期間の付加データよりＣＭ部であることが判明した場合、それを検知する。前記ＣＭを検知した場合、ビデオデコーダ１０１は、ＭＰＥＧエンコーダ１０２に対して該データがＣＭであることの通知を行う。
【００１４】
前記ＭＰＥＧエンコーダ１０２においてエンコードされた、ＣＭ部を含む図示しないＰＥＳ（Packetized Elementary Stream）内部のＳｔｒｅａｍ＿ＩＤ、先頭と終了のＰＴＳ（Presentation Time Stamp）及びＤＴＳ（Decode Time Stamp）を抽出し、ＣＭと映像データの関連を保存する記録メディア１０７へ保存する。この時の保存データの形式を図２に示す。
【００１５】
２００はＳｔｒｅａｍ＿ＩＤ、２０１はＶＩＤＥＯ（映像データ）またはＣＭの種別と夫々の数を示すデータ、２０２は前記２０１にて示したＣＭまたはＶＩＤＥＯの開始時間位置を示すＰＴＳないしＤＴＳ、２０３はやはり前記２０１にて示したＣＭまたはＶＩＤＥＯの終了時間位置を示すＰＴＳないしＤＴＳ、２０４は前記２００、２０１、２０２、及び２０３で示されたＣＭまたはＶＩＤＥＯデータの視聴履歴を表すフラグであり、ここでは例として、初期値０（未視聴）とし、視聴時には１となるとする。つまり、前記記録メディア１０７を参照することで、記録されている放送コンテンツ内におけるＣＭの有無及び、その時間的位置が判明する。
【００１６】
同様に、映像データ部についてもＳｔｒｅａｍ＿ＩＤ、先頭と終了のＰＴＳ及びＤＴＳを抽出して、前記記録メディア１０７に保存しておく。この時、ＰＥＳ化された放送コンテンツ全体も、当然記録メディア１０３へ保存される。以上がチューナ１００より出力された放送コンテンツを、ＭＰＥＧストリームにエンコードする際にＣＭ部と映像データ部を夫々抽出し、前記ＭＰＥＧストリームと関連付けて、情報を別途保持しておく手法である。
【００１７】
尚、上記手法に関しては、例としてアナログチューナより放送コンテンツを取得する場合を挙げたが、デジタル放送の場合も、ＴＳパケット内部の未使用のプライベートデータ等を利用することでＣＭ及び映像データ部分を判別し、前述のアナログ放送処理時と同様にストリームのＩＤ及び時間若しくは位置情報を記録メディア１０７へ保存すれば同等の結果を得ることが可能である。
【００１８】
次に、前記記録メディア１０３へ保存された放送コンテンツの再生に関して説明する。記録メディア１０３より取り出されたストリームデータは、ＭＰＥＧデコーダ１０４において、先に述べたＩＴＵ−Ｒ  ＢＴ．６５６またはＩＴＵ−Ｒ  ＢＴ．７０９などにデコードされる。この時、前述した記録時動作の際に、記録メディア１０７に保持した、ＣＭ部分が含まれた先頭と終了のＳｔｒｅａｍ＿ＩＤ、ＰＴＳ及びＤＴＳとを再取得する。前記記録メディア１０３より取り出されたストリームデータが、ＳＫＩＰや早送り（所謂トリックプレイ）ではない、通常の再生状態にあると判断された場合、前記記録メディア１０７より再取得された先頭と終了のＳｔｒｅａｍ＿ＩＤ、ＰＴＳ及びＤＴＳと比較する。
【００１９】
前記記録メディア１０７より再取得したＳｔｒｅａｍ＿ＩＤ、ＰＴＳ及びＤＴＳなどの情報が、前記記録メディア１０３より再生されたストリーム内に含まれると判断された場合、ＣＭを視聴したと見做し、図３に示すように、前記記録メディア１０７に保持してあったＣＭ部分の情報に対して視聴した旨を示すフラグを立てておく。同様に、映像データ部においても、ストリームが再生された場合はやはり図３に示すように、前記記録メディア１０７に保持してあった映像データ部分の情報に対して視聴した旨を示すフラグを立てておく。次に、ビデオエンコーダ１０５において必要であればデジタル→アナログ変換など、外部出力のために必要な処理が行われた後、ＣＶＢＳ端子、Ｓ端子、Ｄ端子、コンポーネント端子、及びＨＤＭＩ（High Definition Multimedia Interface）端子等から構成される外部出力部１０６より出力される。
【００２０】
次に、記録メディア１０３より、指定した放送コンテンツを削除する方法に関して説明する。ユーザより、前記記録メディア１０３上に記録されている放送コンテンツの削除を要請された場合、前記記録メディア１０７上に、前記削除要請された放送コンテンツに含まれる、Ｓｔｒｅａｍ＿ＩＤ、ＰＴＳ及びＤＴＳを持つＣＭ情報が発見された場合、そのＣＭ視聴履歴フラグを参照し、前記ＣＭ視聴フラグが立っていない場合にはＣＭを視聴していないと判断し、前記放送コンテンツの削除要請を拒否する。
【００２１】
但し、前記放送コンテンツは、前述した記録再生装置の自動番組録画機能による録画コンテンツがユーザ嗜好には合致しなかった可能性、及びユーザの操作ミスによる不要な放送コンテンツである可能性もある。従って、前記ＣＭ情報の視聴フラグのみを参照して、前記放送コンテンツの削除を拒否するのは適切ではない。従って、ここでは前記記録メディア１０７上の前記映像データ部の視聴履歴を参照する。
【００２２】
前記映像データ部の視聴履歴を参照した結果、その視聴が行われていないと判断された場合には、前記記録メディア１０７上のＣＭ部の視聴状況に関わらず、該放送コンテンツの削除を行うものとする。また、図３に示すように、同一放送コンテンツを構成する、前記記録メディア１０７上のいくつかの映像データの保存データの視聴フラグの多数決を取ることでその放送コンテンツの削除の可否を決定することも可能である。または、同一放送コンテンツを構成する、前記記録メディア１０７上のいくつかの映像データの保存データの総数に対して、前記映像データの視聴フラグが‘１’（視聴済み）であるかどうかの割合で、その放送コンテンツが視聴されたか、または、その録画コンテンツは不要であって視聴されなかった、と見做すことで、その放送コンテンツの削除の可否を決定することも可能である。
【００２３】
また、前記削除要請された放送コンテンツに含まれるＣＭ情報が、前記記録メディア１０７上に存在しなかった場合、或いは、前記削除要請された放送コンテンツに含まれる、Ｓｔｒｅａｍ＿ＩＤ、ＰＴＳ及びＤＴＳを持つＣＭ情報が発見され、かつ視聴履歴フラグが立っていた場合には、前記削除要請された放送コンテンツに含まれるＣＭは視聴されたものと見做し、前記放送コンテンツを前記記録メディア１０３上より削除する。
【００２４】
尚、上記手法はあくまでも一例であり、例えば前記放送コンテンツを前記記録メディア１０３に記録する場合、ＣＭ部分と映像データ部分に分けて、別個のストリームとして扱い、その際、ＣＭ部のストリームのみを前記記録メディア１０７での管理対象とすることで、ＣＭ部を視聴しないことで削除できなくなる対象は、前記ＣＭ部のストリームのみとなる。該手法の場合は、ＣＭ未視聴と判断された場合でも、削除できなくなるストリームが小さくて済むため、ユーザにかかる負担が少なくて済み、かつＣＭのみをまとめて連続視聴できるというメリットがある。
【００２５】
また、上記例では、映像データ部とＣＭデータ部とを区別するために、ＰＥＳのＳｔｒｅａｍ＿ＩＤ、ＰＴＳ及びＤＴＳに視聴履歴フラグを追加して、別途保持して使用しているが、エンコードされた映像データ部とＣＭデータ部が実際に記録メディア１０３に書かれる位置、即ち開始セクタ及び終了セクタで管理しても良い。
【００２６】
その場合に管理されるデータの形式を図４に示す。２１０はＳｔｒｅａｍ＿ＩＤ、２１１はＶＩＤＥＯ（映像データ）またはＣＭの種別と夫々の数を示すデータ、２１２は前記２１１にて示したＣＭまたはＶＩＤＥＯの記録開始セクタ、２１３はやはり前記２１１にて示したＣＭまたはＶＩＤＥＯの記録終了セクタ、２１４は前記２１０、２１１、２１２、及び２１３で示されたＣＭまたはＶＩＤＥＯデータの視聴履歴を表すフラグである。
【図面の簡単な説明】
【００２７】
【図１】図１は、本発明の実施例１の録画再生装置のブロック図である。
【図２】図２は、視聴状態を調査・保持するために保存されるデータの管理テーブルである。
【図３】図３は、本発明の実施例１にて示す管理テーブル使用例である。
【図４】図４は、図２の管理テーブル内の時間を示すデータを、記録メディアのセクタに置き換えた場合の管理テーブル図である。
【符号の説明】
【００２８】
１００    チューナ
１０１    ビデオデコーダ
１０２    ＭＰＥＧエンコーダ
１０３    記録メディア
１０４    ＭＰＥＧデコーダ
１０５    ビデオエンコーダ
１０６    外部出力部
１０７    視聴履歴を保存する記録メディア
２００    Ｓｔｒｅａｍ＿ＩＤ
２０１    ＶＩＤＥＯ（映像データ）またはＣＭの種別と夫々の数を示すデータ
２０２    ＣＭまたはＶＩＤＥＯの開始時間位置を示すＰＴＳないしＤＴＳ
２０３    ＣＭまたはＶＩＤＥＯの終了時間位置を示すＰＴＳないしＤＴＳ
２０４    ＣＭまたはＶＩＤＥＯデータの視聴履歴を表すフラグ
２１０    Ｓｔｒｅａｍ＿ＩＤ
２１１    ＶＩＤＥＯ（映像データ）またはＣＭの種別と夫々の数を示すデータ
２１２    ＣＭまたはＶＩＤＥＯの録画開始セクタ
２１３    ＣＭまたはＶＩＤＥＯの録画終了セクタ
２１４    ＣＭまたはＶＩＤＥＯデータの視聴履歴を表すフラグ
【図１】
2007318342.tif 000003
【図２】
2007318342.tif 000004
【図３】
2007318342.tif 000005
【図４】
2007318342.tif 000006